Podtech/llm-jp-corpus-v4-ja_patent huggingface dataset:
(57)【要約】【課題】  ７、８月の盛夏の中、Ｔシャツの下にブラジャーや下着などを重ねて着用することもなく、Ｔシャツ裏側に通気性、柔軟性、弾力性をもったハニカム、網状、不織布などの素材の布を重ねた１枚の当て布を固定することによりＴシャツ一枚着用するだけで胸部部分をしっかりカバー出来るＴシャツを提供する。【解決手段】  Ｔシャツ（１）の胸部部分裏側に乳頭の凸部分や黒ずみ部分や乳房の曲線に配慮しつつ、圧迫感、締め付け感のないバストカバー付きＴシャツを提供する。【選択図】図１
2017048488.tif 000002
【特許請求の範囲】
【請求項１】
Ｔシャツ（１）の胸部乳房部分裏側に、ハニカム、網目状、小さな穴をあけた通気孔をもつ不織布などを数枚重ねた（２）さらし状の当て布（３）を固定したバストカバー付きＴシャツ。
【発明の詳細な説明】
【技術分野】
【０００１】この発明は胸部部分裏側にカップ状ではなく、平面状の布（ハニカムや大小の網目状又は小さな穴の空いた不織布などを用いた布）を数枚重ねることで、柔軟性、弾力性、通気性を持たせることにより、高さ０．５ｍｍの乳頭の凸部分を目立たなくし、乳首周辺の黒ずみ部分をカバー出来、また２つの乳房の曲線にも違和感なく着用出来るものである。
【背景技術】
【０００２】従来のブラジャー付きＴシャツは“トップブラ”などに見られるカップ付きブラジャーを付けたものや、パッドのような堅く厚みのあるものだった。
【先行技術文献】
【０００３】
【特許文献１】特開  平１１−２４７０１１号公報  特開  ２００１−１５９００３号公報
【発明の概要】
【発明が解決しようとする課題】
【０００４】これは次のような欠点があった。
（イ）７、８月の盛夏において、重ね着は暑苦しく苦痛を伴うものだが、Ｔシャツだけの着用を望んでも下着やブラジャーなしでは、乳首の凸部分が出たり、周囲の黒ずみが浮いて見え恥ずかしい状態になってしまう。（ロ）高齢の婦人にとってブラジャーやパッドの様な胸部の隆起を意識した下着を着用することには抵抗があり、また、ブラジャーやカップ付き下着などは着用時、圧迫感や、締め付け感があり、高齢の夫人には血圧上昇や血液循環にも悪影響を及ぼすといった健康面に配慮していないものだった。また、若い女性達も就寝時はブラジャー着用なしが８０％とのこと。若い女性にも応用出来ると推測される。
本発明は、以上のような欠点をなくすためになされたものである。
【課題を解決するための手段】
【０００５】Ｔシャツの胸部部分裏側に小さな穴の空いた不織布やハニカム＋網目状の布、数枚を重ねたさらし状の当て布を固定する。
本発明は以上の構成よりなるバストカバー付きＴシャツである。
【発明の効果】
【０００６】（イ）Ｔシャツとバストをカバーする布地（ハニカム、網目状、不織布）を裏側に平面的にとりつけることで、Ｔシャツと一体化し、Ｔシャツ１枚でも自然に違和感なく乳房部分をカバーすることが出来る。
（ロ）バスト曲線もハニカム、網目模様、不織布などを用いることでファッション性、柔軟性、通気性が生まれ自然にカーブ（曲線）を作ることが出来る。また、冷感にも優れている。
【図面の簡単な説明】
【０００７】
【図１】  本発明の正面図である。
【発明を実施するための形態】
【０００８】以下、本発明を実施するための形態について説明する。
ハニカム、網目状、不織布などの布地を重ねた１枚のさらし状の当て布をＴシャツの裏側の胸部部分全体に接着または縫い付け、固定するよう設置する。
本発明は以上のような構造である。
これを使用するときは、Ｔシャツと裏布が平面かつ一体感を持つように装着させる。
【符号の説明】
【０００９】１・  Ｔシャツ
２・  ハニカム、網目状、小さな穴の空いた不織布などを重ねた布
３・  当て布
【図１】
2017048488.tif 000003
【図２】
2017048488.tif 000004
【手続補正書】
【提出日】平成27年12月15日(2015.12.15)
【手続補正１】
【補正対象書類名】明細書
【補正対象項目名】０００７
【補正方法】変更
【補正の内容】
【０００７】
【図１】Ｔシャツの胸部に乳頭（直径１ｃｍ、高さ０．５ｍ）や乳頭部分周辺の黒ずみが透けて見えたり、とび出したりしないような網目（ネット）の布地を置く。
【図２】例えばフルーツキャップ（フルーツネット）の様な厚さ（高さ）や弾力性を網目の布地に持たせ、乳房の曲線にも配慮した網目上の布地である。
(57)【要約】【課題】建設現場で作業員が使う鉛筆やペンなどは数種類に及びその全てを常に持ち歩くには複数の装着具が必要である。【解決手段】本発明は、市販の手甲に布製幅広ゴムバンドを縫い付け鉛筆やペンを常に見えるところに複数装着できることを特徴とするペン差し手甲。【選択図】図３
2017048487.tif 000002
【特許請求の範囲】
【請求項１】
市販の手甲に布製幅広ゴムバンドを縫い付け糸で仕切った、ペン差し手甲。
【発明の詳細な説明】
【技術分野】
【０００１】  本発明は、建設現場で作業員が使用する手甲に関するものである。
【背景技術】
【０００２】  従来、手甲は厚手の布で作られており基本的に作業中の手首を怪我などから保護したり袖口を汚れから防ぐ役目や工具を扱う際に袖口の撓みを機械に巻き込まない為の危険防止具としてのみに使用されるものである。
【発明の概要】
【発明が解決しようとする課題】
【０００３】  建設現場では鉛筆やペンなどを使用することも多く、それらを耳にはさんで作業する姿は昔からよく知られるところである。
しかし、ヘルメットやメガネをかけると耳には挟めない。
最近の作業服にはペン差し専用のポケットも設けられてはいるものの職種によっては複数のペンや鉛筆またインパクトドライバーのビットなども付け替えで使用することが多く、それだけでは足りないと言う問題がある。
【課題を解決するための手段】
【０００４】  手甲の表面に幅広のゴムバンドを縫い付け、縫い糸で複数に仕切る。
以上の構成よりなるペン差し手甲。
【発明の効果】
【０００５】  手甲にペンや鉛筆を装着することにより、常に手元にそれらがあり一目でどれを使用するかを判断できる、また複数装着できるのでドライバービットなどを付け替える際、置き場に困るような事もない。
【図面の簡単な説明】
【０００６】
【図１】本発明の斜視図（表面）
【図２】本発明の斜視図（立体図）
【図３】発明が解決しようとする課題（背景技術１）
【発明を実施するための形態】
【０００７】  以下、本発明の実施の形態を説明する。
（イ）手甲本体（１）に幅広の布製ゴムバンド（２）を設ける。
（ロ）縫い糸で仕切りと共に縫い付ける。
本発明は以上のような構造である。
本発明を使用するときは、作業時しっかりと手首に手甲を巻き付け縫いつけられたゴムバンドに鉛筆やペンなどを差し、必要に応じて使用する。
【符号の説明】
【０００８】  １手甲本体、２布製幅広ゴムバンド、３縫い糸。
【図１】
2017048487.tif 000003
【図２】
2017048487.tif 000004
【図３】
2017048487.tif 000005
(57)【要約】【課題】  成形不要のロール状の金属屋根板を、複雑な継ぎ手をせずに施工する。【解決手段】  シンプルな水受けを接着剤で屋根下地合板上の防水材に取り付け、金属屋根板を該水受けに継ぎ手幅を持たせて敷設し、カバー水受けを被せる手段とする。【選択図】図１
2017048665.tif 000002
【特許請求の範囲】
【請求項１】
屋根下地合板▲１▼に防水材▲２▼を施工し、水受け▲３▼の施工される箇所の防水材▲２▼表面に、座板▲４▼を釘やビス等の公知の方法で接着させる。
水受け▲３▼は、水受け用接着剤▲５▼で座板▲４▼に接着され、接着させた水受け▲３▼に、金属屋根板接着剤▲６▼で接着させた金属屋根板▲７▼を継ぎ幅▲８▼を持たせて被せ、その表面にカバー水受け▲９▼を被せたことを特徴とした成形不要フラット金属屋根施工法。
【発明の詳細な説明】
【技術分野】
【０００１】  本発明は成形不要のフラット金属板で、簡単に屋根を施工できる施工法に関するものである。
【背景技術】
【０００２】  金属板屋根は、屋根の上で締め付け施工を行うのが一般的である。
【発明の概要】
【発明が解決しようとする課題】
【０００３】  成形された金属板を屋根施工の現場に持ち込み施工するには、大型の搬送設備と人手が必要である。【０００４】  公知の技術に同類の成形不要のフラット金属屋根施工法があるが、継ぎ手が複雑なだけでなく、その継手をつくるために下地合板を二重にするなどの手間とコストが掛かっていた。
【課題を解決するための手段】
【０００５】  本発明は、屋根下地合板に施工された防水材の上に接着させた継ぎ手水切りに、成形を一切しないロール状の金属屋根板を、そのままの形状で乗せて雨の漏らない、継ぎ手形状を確保して敷き込む手段を講じている。【０００６】  屋根下地合板▲１▼に防水材▲２▼を施工し、水受け▲３▼の施工される箇所の防水材▲２▼表面に、座板▲４▼を釘・ビス等の公知の方法で接着させる。
水受け▲３▼は、水受け用接着剤▲５▼で座板▲４▼に接着され、接着させた水受け▲３▼に、金属屋根板接着剤▲６▼で接着させた金属屋根板▲７▼を継ぎ幅▲８▼を持たせて被せ、その表面にカバー水受け▲９▼を被せたことを特徴とした成形不要フラット金属屋根施工法である。
【発明の効果】
【０００７】  金属屋根板に何の成形加工をせず敷き込みが出来て、大幅に搬送と施工コストが削減できる。【０００８】  水受け用接着剤▲５▼で接着させた水受け▲３▼の上の継手幅▲８▼で金属屋根板の収縮に対応が出来る。【０００９】  カバー水受け▲９▼から侵入した雨水は、水受け▲３▼で漏水を防ぎ、水受けの水返しを超えようとしても金属屋根板接着剤▲６▼と水受け用接着剤▲５▼に阻止される構造となっている。
【図面の簡単な説明】
【００１０】
【図１】本発明の立面断面図
【発明を実施するための形態】
【００１１】  乾燥した屋根下地合板を使用することを前提で施工を行うことが、最良の施工環境の業態である。
【００１２】  熱劣化のしない超強力な接着剤の存在は既に公知の事実として３０年以上の実績を有している。
【００１３】  金属屋根板接着剤▲６▼と水受け用接着剤▲５▼は一体を為すことも可能である。
【００１４】  水受け▲３▼とカバー水受け▲９▼は、あらかじめ工場内で数メートルに折り曲げ加工をしておき、重ね継ぎ手に防水接着剤で現場施工を行う。
【実施例】
【００１５】  公知のマグネット接着による太陽光パネルの施工に利用した本発明の実施例。【００１６】  公知の融雪屋根に利用した本発明の実施例。【００１７】  水受け用接着剤▲５▼、金属屋根板接着剤▲６▼の全部あるいは、いずれかを防水機能を持たせた接着剤とした本発明の実施例。【００１８】  公知の屋上緑化施工に利用した本発明の実施例。
【産業上の利用可能性】
【００１９】  現場搬入にコストが掛からない。【００２０】  屋根の上での継手折り曲げ施工がない。【００２１】  屋根に突起がないため、雪を風で飛ばすフラット屋根に向いている。
【符号の説明】
【００２２】▲１▼屋根下地合板
▲２▼防水材
▲３▼水受け
▲４▼座板
▲５▼水受け用接着剤
▲６▼金属屋根板接着剤
▲７▼金属屋根板
▲８▼継ぎ幅
▲９▼カバー水受け
【図１】
2017048665.tif 000003
(57)【要約】【課題】  従来の縦型回転式の回転翼は角度を変化させることができなかったことから風力を効率よく回転力に変換できなかった。【解決手段】  縦型回転式の各回転翼が風向に対し、風力を受け回転力を得るべき位置にあっては風力を最大に受け、風力を受け負の回転力を得るべきでない位置にあっては風力を最小に受けるように回転翼ごとの角度をガイドレール，ガイドローラーにより最適にコントロールする。【選択図】図１
2017053335.tif 000002
【特許請求の範囲】
【請求項１】
各回転翼が風向に対し、風力を受け回転力を得るべき位置にあっては風力を最大に受け、風力を受け負の回転力を得べきでない位置にあっては風力を最小に受けるように回転翼ごとの角度をガイドレール，ガイドローラーにより最適にコントロールする風力等原動機。
【発明の詳細な説明】
【技術分野】
【０００１】  この発明は、縦型の回転翼ごとの角度を風向に対し、ガイドレール、ガイドローラーにより最適にコントロールできる風力原動機に関するものであり、風力の他、水力、潮流原動機等にも応用できる。
【背景技術】
【０００２】  従来、縦型回転式にあっては、翼の角度をガイドレール、ガイドローラーにより変えるものは無かったが本発明では、各回転翼が風向に対し、風力を受け回転力を得るべき位置にあっては風力を最大に受け、風力を受け負の回転力を得べきでない位置にあっては風力を最小に受けるように回転翼ごとの角度をガイドレール、ガイドローラーにより最適にコントロールするものである。
【発明の概要】
【発明が解決しようとする課題】
【０００３】  従来の縦型回転式にあっては、風向に対し、風力を受け負の回転力を得べきでない位置にあっても回転翼の角度を任意に変えることができず、風力を有効に回転力へ転換できなかった。
本発明は、以上のような欠点をなくし風向に対し回転翼の角度をガイドレール、ガイドローラーにより最適にコントロールするものである。
【発明を解決するための手段】
【０００４】  回転翼の中心側は、可変できるよう軸式にして、外側は、ガイドローラーを施し回転する際は、同ローラーがガイドレールにガイドされ、回転翼が風向に対し最適な角度になる。
【発明の効果】
【０００５】  各回転翼が風向に対し、風力を受け回転力を得るべき位置にあっては風力を最大に受け、風力を受け負の回転力を得るべきでない位置にあっては風力を最小に受けるように回転翼ごとの角度をガイドレール・ガイドローラーにより最適にコントロールすることができ、風力を有効に回転力へ変換できる。
【図面の簡単な説明】
【０００６】
【図１】本発明の平面図である。
【図２】本発明の側面図である。
【発明を実施するための形態】
【０００７】  以下、本発明を実施するための形態について説明する。
回転翼（１）にガイドローラー（２）を設ける。
ガイドローラー（２）は、ガイドレール（３）に沿って移動し、回転翼（１）が任意の角度に開いたり、閉じたりする。
【符号の説明】
【０００８】  １  回転翼（側面図では、２枚の回転翼のみ図示する。）
２  ガイドローラー
３  ガイドレール
【図１】
2017053335.tif 000003
【図２】
2017053335.tif 000004
(57)【要約】      （修正有）【課題】ビニロン金剛打ち紐は他の紐等と比べて、引っ張り強度が弱く、その上雨水に濡れると尚弱化するので、その弱点を補強のため強化ポリエチレン及び引っ張り強化と摩耗耐光性強化の為にエステルを用いた金剛打ち紐の提供。【解決手段】ビニロン糸５番手６本を強化ポリエチレン４００ｄ耐光性に優れた適数本を混合した混合集糸束（７）１０束にエステル集糸束（７の７）２束の１２束を紐の中心紐の芯（１０）に表面を周囲回転、打ち込みを少なくピッチを長く甘く製紐はダラダラに甘く、太く脹らみ安全作業性商品価値の下落を防ぐ為に甘打紐又は芯紐（３の３）に水溶性樹脂（８）を付着浸透乾燥して甘打ちダラダラ太く膨らみ感の解消して安全作業性商品価値の向上金剛打ち紐。【選択図】図１
2017053069.tif 000002
【特許請求の範囲】
【請求項１】
［図１］に図示のビニロン糸５番手６本に強化ポリエチレン４００ｄ耐光性に優れた黒色等適数本を引っ張り強化を得る為、混合しての  混合集糸束（７）１０束に引っ張り強化磨耗強化を得る為に  エステル集糸束（７の７）２束を表面周囲を組回転の中心  紐の芯（１０）に製紐に表面周囲、の混合集糸束（７）とエステル集糸束（７の７）の１２束を表面に  引っ張り強化  摩耗  耐光性強化に投入。
【請求項２】
［図１］に説明の  紐の芯（１０）を中心に混合集糸束（７）１０束  エステル集糸束（７の７）の１２束を表面周囲を組回転のピッチを長く、打ち込み少なく、甘く製紐はダラダラに甘く  太く脹らみ  安全作業性  商品価値の下落を防ぐ為に［図２］に図示の水溶性樹脂（８）  を甘打ち紐又は紐芯（３の３）に付着  浸透  乾燥して甘打ちダラダラ太く膨らみ感を解消して  安全作業性  商品価値向上。
【発明の詳細な説明】
【技術分野】
【０００１】本案はテント張り用ビニロン糸金剛打ち組紐の引っ張り強度，摩耗性、耐光性の強化案。
【背景技術】
【０００２】従来からビニロン糸金剛打ち紐は、他の１６打ち紐と比べ引っ張り強度が弱く、更に雨水に濡れると更に弱化します、その弱点を補強する為、強化ポリエチレンにエステル糸等を混合して軽く細くても引っ張り強度に強く耐光性、摩耗性に優れた、安全作業、経済性の向上。
【先行技術文献】
【０００３】
【特許文献１】  特開  ２００７−２５４９４１号公報
【特許文献２】  特開  ２０１５−０５９２７６号公報
【発明の概要】
【発明が解決しようとする課題】
【０００４】金剛打ち紐の構成は周囲に１２個の集糸束ポピンの糸の構成は《ビニロン糸５番手６本に強化ポリエチレン４００Ｄ黒色等１本》を混合集糸束（７）として１０束にエステル集糸束（７の７）２束の１２束を周囲回転の  紐の芯（１０）に  混合集糸束（７）を約７束〜１０束を紐の太さ応じ適数束投入して金剛打ち紐を作り、尚  引っ張り強度強化と生産性、向上の為、打ち込みを少なく、ピッチを長く作りますと出来上がった紐がダラダラに甘く太く膨らみ、作業性、商品価値の下落を防ぐ為、［図２］に図示の如くに、甘打ち紐又は紐芯（３の３）の甘打ち紐を  紐芯の進行矢印（３）に従い樹脂入り器（１）の底に設けた  紐芯浮上止具（４）を潜り抜けて進行矢印（３）を通過して樹脂付着乾燥して甘打ちダラダラ、膨らみ感を解消して安全作業  商品価値の向上、尚  紐芯（３の３）も樹脂入り器（１）の底に設けた、紐芯浮止具（４）を潜り抜けて進行矢印（３）に従い，製紐時と同時に紐の中心、紐の芯（１０）に挿入して、紐の芯（２）に付着の水溶性樹脂（８）が  紐の芯（１０）が紐中心で乾燥して甘打ちダラダラ、膨らみ感を解消して安全作業性、商品価値向上。
【課題を解決するための手段】
【０００５】ビニロン金剛打ち  紐の芯（１０）にビニロン糸と強力ポリエチレン糸との混合集糸束（７）を水溶性樹脂（８）を入れた器（１）の底下を潜り抜けた、紐，芯浮上止具（４）  混合集糸束（７）を適数量を水溶性樹脂（８）が付着した混合集糸束（７）を紐の芯（１０）に挿入して、樹脂付き紐の芯（２）の樹脂乾燥でダラダラ甘く太く膨らみ感の解消  尚  甘打ち紐（３の３）も紐芯（３の３）と同じく樹脂入り器（１）の底に設けた紐芯浮上止め具（４）を潜り抜けて樹脂付き紐（２）の乾燥にて紐の切り口の糸のバラ化を防ぎ、作業性  商品価値の向上。
【発明の効果】
【０００６】ビニロン金剛打ち紐  ６ｍｍ  １ｍの重さ１６ｇ  引っ張り強度  １８１ｋｇ  本案ビニロン、ポリエチレン糸混合金剛紐５ｍｍ  １ｍの重さ１１ｇ引っ張り強度２００ｋｇ  細く  軽く  引っ張り強度は５ｍｍの紐が６ｍｍの紐に勝って居りますので、経済的にも作業性、安全性にも勝った、本案です。
【図面の簡単な説明】
【０００７】
【図１】金剛打紐切り口断面図と斜視図
【図２】甘打紐  又は紐芯樹脂通過図
【発明を実施するための形態】
【０００８】本案は以上に説明の如く、テント張り用ビニロン金剛打ち紐の弱点を補強の為  ビニロンと強化ポリエチレン糸等の  混合集糸束（７）１０束に磨耗  引っ張り強化にエステル集糸束（７の７）を紐の表面に２束を表面に紐の芯（１０）に混合集糸束（７）を適数量投入して、打ち込み少なくピッチを長く、ダラダラに太く膨らみの解消に水溶性樹脂（８）を付着、浸透  乾燥して軽く細くても、引っ張り強化、耐光性、摩耗  安全作業性  経済性の向上。
【符号の説明】
【０００９】  Ｉ  樹脂入り器                ７  混合集糸束
２  樹脂付き紐と紐の芯        ７の７  エステル集糸束
３  紐、芯の進行矢印          ８  水溶性樹脂
３の３  甘打紐又は紐芯        ９  混合集糸束（７）とエステル集糸束（７の７）の  ４  紐芯浮上止具                  表面露出図。
１０  紐の芯
【図１】
2017053069.tif 000003
【図２】
2017053069.tif 000004
(57)【要約】      （修正有）【課題】まな板上、或いは溝内に水が溜まらず、水を効率良く流し出すことができ、また、横方向の周囲に水がこぼれ落ちない水切りまな板を提供する。【解決手段】水が排出口方向に効率流れ易くするように、まな板に傾斜を付け、かつ周囲に流れ出すことを避けるため溝２を配置した構造である。傾斜を付ける方法は、まな板裏面に足４を一体付けする方法、ヒンジ方式による方法、着脱式の足、まな板に厚さを変化させる方法で実現させることができる。【選択図】図１
2017202281.tif 000002
【特許請求の範囲】
【請求項１】
調理用まな板において、食材から出る水分を排出するため、まな板に傾斜を付け、かつ周囲に流れ出すことを避けるため、まな板表面に溝を配置したことを特徴とする水切りまな板。
【発明の詳細な説明】
【技術分野】
【０００１】  本発明は、まな板上の食材の水切りに関するものである。
【背景技術】
【０００２】  従来の水切りまな板には、まな板上に溝を設け、一部に切欠きを設けた構造がある（例えば特許文献１参照）。また、まな板裏面に足を設け、傾斜を付けた構造がある（例えば特許文献２参照）。
【先行技術文献】
【特許文献】
【０００３】
【特許文献１】  特開平８−１９１７７１号
【特許文献２】  実改平７−４４２８９号
【発明の概要】
【発明が解決しようとする課題】
【０００４】  従来は次のような欠点があった。
（イ）水切りまな板［文献１］では、まな板上、或いは溝内に水が溜まってしまい、水を効率良く流し出すことができないという問題があった。
（ロ）傾斜させたまな板［文献２］では、傾斜方向には水は流れるが、横方向の周囲にも水がこぼれて出してしまうという問題があった。
本発明は、このように水がまな板上に溜まってしまうこと、及び周囲にこぼれ出すことを防止し、効率的に排水口側から流し出すことを実現させるものである。
【課題を解決するための手段】
【０００５】  上述した課題を解決するために、本発明は、水が排出口方向に効率流れ易くするように、まな板に傾斜を付け、かつ周囲に流れ出すことを避けるため溝を配置した構造である。
【発明の効果】
【０００６】  本発明の水切りまな板は、傾斜を付けることによって、まな板上、或いはまな板からこぼれ出すことなく溝に溜まった水が傾斜方向に流れ、まな板の低い側の端面、または溝の排出口から効率よく流れ出すことができる。
【図面の簡単な説明】
【０００７】
【図１】本発明の水切りまな板の斜視図
【図２】本発明の水切りまな板の三面図
【図３】水切りまな板を流し台の上に置いた形態図１
【図４】水切りまな板を流し台の上に置いた形態図２
【図５】水切りまな板を流し台の上に置いた形態図３
【図６】傾斜方法１  側面図
【図７】傾斜方法２  側面図
【図８】傾斜方法３  側面図
【発明を実施するための形態】
【０００８】  以下、本発明の実施の形態を図１〜図５に基づいて説明する。
図１は、本発明水切りまな板の基本形であり、まな板本体１（以下本体）と水の通り道となる本体表面に設けられた溝２、水の排出口３、傾斜をつけるために本体裏面に設けられた足４から構成される。図１は斜視図、図２は３面図を示す。
図３は、調理台５の上に本発明の水切りまな板を置いた状態を示す。まな板上、及び溝に溜まった水は、まな板の傾斜により、直接シンク６に流し出すことができる。
図４は、水分を含まない食材を調理する場合、足部分をシンク側に向け流し台上に置くことにより、まな板を水平状態で使用できることを示す。
図５は、直接シンクに流さない場合、排出側部にトレイ７等を置き、水受けとする状態を示す。
【０００９】  図６〜図１０は、図１、図２の基本形以外のまな板に傾斜を付ける方法を示す。
図６は、まな板の厚さを８寸法＞９寸法にすることにより、傾斜を付けることができる。
図７は、ヒンジ足１０にすることにより、折りたたむことができる方法を示す。これにより水分を含まない食材を扱う場合は、水平状態での使用が可能となる。
図８は、着脱足１１にすることにより、傾斜を付ける方法を示す。
【符号の説明】
【００１０】１    まな板本体
２    溝
３    水の排出口
４    足
５    調理台
６    シンク
７    トレイ
８    まな板厚  大
９    まな板厚  小
１０  ヒンジ足
１１  脱着足
【図１】
2017202281.tif 000003
【図２】
2017202281.tif 000004
【図３】
2017202281.tif 000005
【図４】
2017202281.tif 000006
【図５】
2017202281.tif 000007
【図６】
2017202281.tif 000008
【図７】
2017202281.tif 000009
【図８】
2017202281.tif 000010
(57)【要約】【課題】  従来の鍋蓋は、蓋面の中心にツマミがあるため、調理途中に裏返しに仮置きするに際し、持ち手側からするとツマミが奥の方になって、熱い蓋の縁が手首辺に触れ当たって火傷する危険が高く、また片手持ちになるので、鋳物やホーローの鍋蓋の様に重いものはコントロールを間違って落としたりしがちであり、置いた後も蓋がツマミを軸にくるりくるり・行きつ戻りつ不安定に動き廻り易かった。両手で摘まんで火傷の危険がなく、置いたらピタッと安定する鍋蓋を提供する。【解決手段】  鍋蓋面の外周縁の一方側に片寄って・互いに少し間隔を置いて位置する二つの地点に、蓋表から上方へ指で摘まめる程の高さで突出するツマミを備えていることを特徴とする摘み易い鍋蓋。【選択図】図３
2017202280.tif 000002
【特許請求の範囲】
【請求項１】
略円形面の鍋蓋に於いて、鍋に被さっている時に外側（上方）へ浅く膨む側を蓋表とし、蓋表の中心より外周縁の一方側に片寄って・互いに少し間隔を置いて位置する二つの地点に、蓋表から上方へ指で摘まめる程の高さで突出するツマミを備えており、蓋を裏返しに置く時に、蓋面外周縁におけるツマミ側の対向的な位置に当たる一点と二つのツマミとの計三点で傾斜状に支持されるので、安定的で且つツマミ側が置き面との間に斜め上方に開放されていて、且つツマミが蓋中心よりずっと手前に来るので、ツマミに向けて手を差し入れ‐出し易く、摘み易くなっており、更に蓋の真ん中に突出した部分がないため、複数重ねられることを特徴とする摘み易い鍋蓋。
【発明の詳細な説明】
【技術分野】
【０００１】  本発明は、鍋や鉄瓶の蓋に関するものである。
【背景技術】
【０００２】  従来、鍋や鉄瓶の蓋は、ツマミが真ん中にあって、蓋を取って裏返して置いた際に、ツマミを中心にくるりくるりと廻転し、下に落ちたりして安定が悪かった。また、ツマミを蓋の中心よりも縁寄りに設置し、中心を挟んで対向側に錘を設けて、裏返した時にしっかり安定させる先行技術も知られている（特許文献１参照）。
【先行技術文献】
【特許文献】
【０００３】
【特許文献１】  特開平０８−２５２１７４号公報
【発明の概要】
【発明が解決しようとする課題】
【０００４】  従来、鍋の蓋はツマミが蓋面の中心にあるため、熱くなった蓋を取ってその辺に裏返しに仮置く時、手指先で摘まんだツマミが蓋の縁から奥の方になって、手首に熱い縁が触れ易く、途端に手を離して蓋を落したり、置く時に耳障りなガチャ音を出してしまい、静かにそっと置くことが出来なかった。また置いたあと、ツマミを中心にくるりくるりと回り・揺れ・動いて落ちたり、他の器具や食器等にぶつかったりと、神経を使った。調理台をその都度雫で汚すハメにもなった。また、収納時にも、出っ張ったツマミが邪魔してきれいに重ね置くこともできなかった。
特許文献１に示される先行技術は、鍋の重さに加えて錘の重量も加わるため、手力の弱った高齢者や子供にとってはかなりの用心が必要であった。また裏返されて置かれたツマミと錘の出っ張りとの二点で支えられた蓋はほぼ横平行になり、再びツマミに手を伸ばす時に掴みにくさが残った。
本発明は、以上の様な問題点を解決するためになされたものである。
【課題を解決するための手段】
【０００５】  略円形面の蓋に於いて、鍋に被さっている時に外側（上方）へ浅く膨む側を蓋表とし、蓋表の中心より外周縁の一方側に片寄って・互いに少し間隔を置いて位置する二つの地点に、蓋表から上方へ指で摘まめる程の高さで突出するツマミを備えている。蓋を裏返しに・蓋表を下にして置く時に、蓋表外周縁におけるツマミ側の対向的な位置に当たる一点と二つのツマミとの計三点で傾斜状に支持されるので、安定的で且つツマミ側が置き面との間に斜め上方に開放されていて、且つツマミが蓋中心よりずっと手前に来るので、ツマミに向けて手を差し入れ‐出し易く、摘み易くなる。更に蓋の真ん中に突出した部分がないため、複数重ねることもできる。
以上を特徴とする摘み易い鍋蓋である。
【発明の効果】
【０００６】  熱い鍋の蓋を裏返しにして仮置く際に、蓋外周縁の一点と二つのツマミとの計三点が置き面に接地して三点支持状態で安定され、動いたりツマミを軸に回ったりする心配がない。その時蓋が接地面に対し横平行的でなく手前斜め上方へ開放した状態になっているので、蓋をするため再びツマミを握ろうする際に、左右どっちからでも手を伸ばし入れ‐出し易くて、作業がスムーズに安心して進められる。
【図面の簡単な説明】
【０００７】
【図１】  本発明の平面図
【図２】  本発明の斜視図
【図３】  裏返した状態の斜視図
【発明を実施するための形態】
【０００８】  略円形面の蓋に於いて、鍋に被さっている時に外側（上方）へ浅く膨む側を蓋表（１）とし、蓋表（１）の中心より外周縁の一方側に片寄って、互いに少し間隔を置いて位置する二つの地点に、蓋表（１）から上方へ指で摘まめる程の高さで突出するツマミ（２ａ，２ｂ）を備えている。蓋を裏返しに置く時に、蓋表（１）外周縁におけるツマミ（２）側の対向的な位置に当たる一点と二つのツマミ（２ａ，２ｂ）との計三点で傾斜状に支持されるので、安定的で且つツマミ側が置き面との間に斜め上方に開放されていて、且つツマミ（２）が蓋中心よりずっと手前に来るので、ツマミ（２ａ，２ｂ）に向けて手を差し入れ‐出し易く、摘み易くなる。更に面の真ん中に突出した部分がないため、複数重ねることもできる。
ツマミ（２ａ）とツマミ（２ｂ）との間隔は、大きい蓋・重い蓋の場合は広めにとると両手で持ち易くなり、鉄瓶や急須の様な小さな蓋の場合は狭めにとるとデザイン的に面白いものになる。
本発明は以上の様な構成であり、以下具体的な実施・使用形態を説明する。
従来、特に鋳物やホーローの鍋の様に、蓋と真ん中のツマミ（２）が一体成型されているものは火傷する程に熱せられるので、フキンやミトンを使ってツマミ（２）を掴んで蓋を裏返しに仮置きする際に、熱い蓋の縁が手首辺に触ってしまう危険が高いのだが、本発明の場合は、蓋の一方の縁際に片寄って二つのツマミ（２）があり、裏返しに仮置きする時に、ツマミ（２）側を手前斜め上向きに両手で持ってコントロールできるので、熱い蓋の縁が手首辺に触れ当たる危険がなく、両手で持つので軽く静かに置くことができる。再び蓋をする時にも、両手で二つのツマミ（２ａ，  ２ｂ）を楽な力で持てるので、一連の動作を通して重くて落としたり火傷したりする危険がない。
また、蓋中心部に一つのツマミ（２）がある場合、鍋蓋は、裏返して仮置きした途端に、くるりくるりと廻ったりぐらぐら揺れ動いたりするが、本発明においては、蓋を手前斜め上にして計三つの支持点でピタッと静止状態を保持するので、調理中も安心でき、商品陳列棚の上でも安定して置かれ、デザイン的にも目を引いて売れ行きに繋がる。
【符号の説明】１  蓋表，      ２  ツマミ，      ２ａ  ツマミ，      ２ｂ  ツマミ
【図１】
2017202280.tif 000003
【図２】
2017202280.tif 000004
【図３】
2017202280.tif 000005
(57)【要約】      （修正有）【課題】過呼吸や叫んでしまう病気を治すソフト入りポータブルプレイヤーヘミシンクの実施を提供する。【解決手段】ソフトの開発競争会社を作ったり、耳に出力する機械とプレイヤー機械とソフトを使い、ポータブルプレイヤーヘミシンクを実施する。【選択図】図１
2017202279.tif 000002
【特許請求の範囲】
【請求項１】
ソフト入りポータブルプレイヤーヘミシンク。
【請求項２】
ソフトの開発競争会社を数々作る。
【請求項３】
強い臓器を作るヘミシンク。
【発明の詳細な説明】
【技術分野】
【０００１】本発明は、ソフト入りポータブルプレイヤーに関する、楽しく成るソフトや有意義を開発するソフト。
【背景技術】
【０００２】近年、ヘミシンクの技術が台頭して来た。【０００３】図のＡ、Ｂ、Ｃを使い、ヘミシンクを簡単に使用する技術について、また、開発競争の会社について。
【発明の開示】
【発明が解決しようとする課題】
【０００４】従来の会社では、椅子で無いヘミシンク技術と云うのは無かった、また、ソフトも色々無かった。過呼吸や叫んでしまう病気も治すソフト。【０００５】本発明は、ヘミシンク技術のポータブルプレイヤーと出力について。
【課題を解決するための手段】
【０００６】ソフトの色々有るポータブルプレイヤーの色々なソフトヘミシンクの実施また、従来の椅子ヘミシンク用のソフトも開発する。
【発明を実施するための最良の形態】
【０００７】図の様にポータブルプレイヤーを使い、さらにそれらのソフト色々も実施してゆく。
【図面の簡単な説明】
【０００８】
【図１】ポータブルプレイヤーヘミシンクの使用について。
【符号の説明】
【０００９】  Ａ  耳に充てる出力する機械。
Ｂ  プータブルプレイヤー機械。
Ｃ  色々なソフト。
【図１】
2017202279.tif 000003
(57)【要約】【課題】  従来の乳幼児用の枕は、薄いタオルや市販製の布で出来た枕が多く、乳幼児が寝返り等でうつぶせになることで枕と鼻、口が密着して息ができず窒息死する事故が問題となり、裁判となる事例も多々あつた。【解決手段】空気入りのチュウ−ブの外周に空気が流入できるメツシュ状の布で覆い、乳幼児が寝返りして、鼻や口が密着しても呼吸できる枕である。【選択図】図２
2017202277.tif 000002
【特許請求の範囲】
【請求項１】
ゴム材等の柔軟性のあるド−ナツ状チュ−ブに全面をメツシュ状の布で覆い、ド−ナツ状チュ−ブ内の空気圧を自由に変更することが出来ることで、乳幼児の頭の重さにあわせ枕全体の沈み具合を加減ができて尚うつぶせ状態でも空気の通気が損なわれることがなく安全性を特徴としたうつぶせ事故防止用まくらである。
【発明の詳細な説明】
【技術分野】
【０００１】本発明は特に乳幼児のうつぶせ寝による死亡事故を防止する枕に関するものである。
【背景技術】
【０００２】従来、病院、及び産院又は保育所等では新生児や乳幼児に対しては薄いタオルやガ−ゼ状の枕や布製の枕を使用していた。【０００３】図１に於いて、乳幼児等が自然にうつぶせになると口、鼻が枕に密着して呼吸が自由にでず窒息死する不幸な事故が年に数百件発生していた。
【発明の開示】
【発明が解決しようとする課題】
【０００４】乳幼児の就寝時には、保育士又は、母親等介護する者は常に状況を確認する必要があり、また、事故発生後には裁判問題にもなりその対策が叫ばれていた。
【課題を解決する手段】
【０００５】本発明は、枕の全面には通気性良い柔らかで弾力のあるメツシュ製の材料を使用し、枕の外周には、ゴム風船状の直径２センチメ−トル程度の中空で柔らかなチュ−ブをとりつける。又、そのチュ−ブの一部には空気の注入口があり、空気の圧力は自由に加減できる、すなわち乳幼児の頭の大きさにおおじて枕の沈み加減を調節できる。
【発明の効果】
【０００６】上述の様に本発明の枕は乳幼児が自然にうつぶせになつても、自然に呼吸が出来て顔や頭に対してもやさしく沈み、枕の高さも加減ができて従来の課題を解決できる。
【発明を実施する為の最良の形態】
【０００７】以下、本発明の実施形態を図１〜図３に基ずいて説明する。
【０００８】図３に於いては、チュ−ブ１はリング状になり中には空気が注入されており、その外周全面には２の網目状のメツシュ材で覆われており使用時の表面はパンパンに張つており乳幼児の頭が乗れば重みで自然に沈み、また、顔が全面に覆つても口、及び鼻の下は空気が通るメツシュ材の為呼吸することが出来安全が確保できる。
【０００９】図２に於ける、３の空気入れ口のバルブを開閉又は空気の圧力を加減することで枕の沈み加減  を調節したり、不要の時は空気を抜き収納出来る。
【００１０】以上の様な効果があるために病院、産院、又は保育所、一般家庭にても完備することにより、悲惨な乳幼児の死亡を削減することができるのである。
【図面の簡単な説明】
【００１１】
【図１】  従来の枕を使用状態略図
【図２】  本発明の実施形態を示す上面外観図
【図３】  図２におけるＡ−Ａ断面図
【図４】  本発明品使用時の状態略図
【符号の説明】
【００１２】１、チュ−ブ
２、メシュ材（網状の材料）
３、空気入れバルブ口
【図１】
2017202277.tif 000003
【図２】
2017202277.tif 000004
【図３】
2017202277.tif 000005
【図４】
2017202277.tif 000006
(57)【要約】【課題】傘を閉じた時は傘に設置されている紐でひだを束ねていた、雨天の日の傘のひだの水滴は周囲の人を濡らしていた。  本発明は、傘のひだを瞬時にしてまとめる傘ひだ部束ね用環を提供する【解決手段】（イ）一本の紐に環を設ける。（ロ）環を設けていない方の紐の先端には留め具を設ける。【選択図】図３
2017202275.tif 000002
【特許請求の範囲】
【請求項１】
傘（１０）のすべてのひだをまとめた時もっともかさばる部分の太さより少し細めで重みのあるひだ束をしっかり確保する楕円状の環（１）の一部に紐（２）を設ける。
【請求項２】
環（１）を設けた紐（２）の他方には留め具（３）を設ける。
【請求項３】
紐（２）の長さは傘（１０）を開き環（１）を先端部から（８）通し入れ環（１）の内輪の一部が先端部（８）に触れるまで紐（２）を引き、布部（６）を束ねて一番太い位置までの紐（２）の長さの半分とする。
【発明の詳細な説明】
【技術分野】
【０００１】本発明は傘を閉じた時、傘のひだを瞬時にして束ねるための環に関するものである。
【背景技術】
【０００２】従来、傘には傘を閉じた時ひだを束ねるための紐が設置されているが、雨天の時にはひだを束ねるのに手が濡れるのとてまがかかるので、ほとんどの人は紐をすぐには使用する事がなく閉じられた傘の濡れたひだは人々の迷惑になっていた。
【発明の概要】
【発明が解決しようとする課題】
【０００３】閉じた後の傘を束ねるにはバラバラになっている傘のひだを束ねてから設置されている紐で巻き付けていた。
本発明は、以上の問題点を解決するためになされたものである。
【課題を解決するための手段】
【０００４】（イ）一本の紐の片方に楕円形状の重みのある環を設ける。
（ロ）紐のもう片方には留め具を設ける。
以上の構成よりなる傘ひだ部束ね用環。
【発明の効果】
【０００５】本発明を使用する事によって、閉じた傘を瞬時にして束ねることができるのでばらけた傘のひだによって水滴を他人につけることはなく、乗り物の乗り降り時には手間がかからない。
【図面の簡単な説明】
【０００６】
【図１】本発明の平面図
【図２】本発明の斜視図
【図３】本発明の使用図
【図４】本発明の設置状態図
【発明を実施する為の形態】
【０００７】  以下、本発明の実施の形態を説明する。
（イ）布部（６）を全部束ねてひだがばらけない位置の太さより少しきつめに合わせた環      （１）を設ける。
（ロ）一本の紐（２）の片方に環（１）を設けもう片方には留め具（３）を設ける。
（ハ）紐（２）の長さは傘を開き環（１）を先端部（８）から通し入れ、環（１）の内輪      の一部が先端部（８）に触れるまで紐（２）を引き紐（２）の先端が束ねた布部（      ６）の太い部分の位置に至った紐（２）の長さの半分とする。
（二）引き張った紐（２）の先端に設けられた留め具（３）の位置の骨部（７）に布部（      ６）の上から爪部（４）をまたがせるように貫通させ傘（１０）の内側で爪部（４      ）を絡ませ固定させる。
本発明は以上のような構造である。
本発明を使用する時は、傘を閉じて環（１）を挟み持ち、とって部（５）方向に引      き上げる。
【符号の説明】
【０００８】    １環、２紐、３留め具、４爪部、５とって部、６布部、７骨部、８先端部、９エンブ    レム、１０傘
【図１】
2017202275.tif 000003
【図２】
2017202275.tif 000004
【図３】
2017202275.tif 000005
【図４】
2017202275.tif 000006
(57)【要約】【課題】  自動車のタイヤにおいて、接地面積が大きいため走行抵抗が大きく、燃費を悪くしている。【解決手段】タイヤの中央部に凸部を設けることによって、接地面積を減らし走行抵抗を小さくし、燃費を良くしている。【選択図】図１
2017202814.tif 000002
【特許請求の範囲】
【請求項１】
中央を凸型（２）にしたタイヤ（１）である。ここでいう凸型（２）とは、中央部の出っ張り、または中央部のふくらみ、または、三角形にして中央を出した形をいう。
【発明の詳細な説明】
【技術分野】
【０００１】この発明は、自動車のタイヤの構造で、接地面積を減らし走行抵抗を減らすために、中央を凸型にしたタイヤに関するものである。
【背景技術】
【０００２】従来、自動車用タイヤは、接地する部分が平面で包括面積が大きく走行抵抗が大きかった。
【先行技術文献】
【特許文献】
【０００３】
【特許文献１】
【発明の概要】
【発明が解決しようとする課題】
【０００４】これは次のような欠点があった。自動車タイヤの接地する部分が平面で包括面積が大きく、走行抵抗が大きく、燃費を悪くしていた。
本発明は、以上のような欠点をなくすためになされたものである。
【課題を解決するための手段】
【０００５】これらの問題を解決するために、自動車の通常走行では、接地部分を少なく、すなわち、包括面積を小さくするために、タイヤの中心部分を凸型にして接地面積を小さくするものである。
また、タイヤの中心部分に膨らみをもたせた場合や、タイヤの形状を三角に出っ張らせた場合も凸型と呼ぶことにする。
本発明は、以上の構成よりなる中心が凸型のタイヤである。
【発明の効果】
【０００６】タイヤの接地面積が小さくなるために、走行抵抗が減り、燃費が向上するのである。
【図面の簡単な説明】
【０００７】
【図１】  本発明のタイヤの出っ張り例である。
【図２】  本発明のタイヤのふくらみ例である。
【図３】  本発明のタイヤの三角形型例である。
【発明を実施するための形態】
【０００８】以下、本発明を実施するための形態について説明する。
タイヤ（１）を金型で成形する際に、中心部を凸部（２）にして生成する。
本発明は、以上のような構造である。
【符号の説明】
【０００９】  １  タイヤ
２  凸部
【図１】
2017202814.tif 000003
【図２】
2017202814.tif 000004
【図３】
2017202814.tif 000005
(57)【要約】【課題】従来のマイクロバス等大型自動車のバンパ―の下部と地上からの距離が広くて、停車中に幼児等が自動車の下に潜り込み、それを知らずに運転手が発進させて死亡事故を起こす事が多発していたがその根本対策法は皆無であつた。【解決手段】従来のバンパ―の下に後付けタイプとして、自動車の全周にタツチセンサ―を編み込んだラバ―製のバンパ―を取り付けてあり、誤つて幼児等がバンパ―に接触するとセンサ―が反応してタツチスイツチを介して警報を運転手に知らせることで事故を未然に防止する事が出来る。【選択図】図１
2017202812.tif 000002
【特許請求の範囲】
【請求項１】
マイクロバス等の大型自動車の下部全周に、ゴム製の平板にタツチセンサ―を編み込み、人が接触した場合運転手に異常を警報装置等で知らせることを特徴とした潜り込み防止用バンパ―。
【発明の詳細な説明】
【技術分野】
【０００１】  本発明は、大型自動車の潜り込み防止装置に関する。
【背景技術】
【０００２】  従来の人身事故防止用の巻き込み防止装置は、左折時に音声にて歩行者に知らせる方法や、後退時に障害物に接触した場合に警報を発する装置はある。（参考文献、特願平６−３１５６４６参照）【０００３】  また、マイクロバス以上の大型車は床面が高く、また、地面とバンパ―の距離が広く、停車中に子供や動物が潜り込み重大な死亡事故が発生しているが特に対策装置は皆無である。【０００４】  特に、保育園及び幼稚園への送迎用バスは殆んどがマイクロバスを使用しており、その送迎の停車中に園児の弟妹が母親に連れられてきて、母親が目をはなした隙にマイクロバスの下に潜り込み、運転手がそれを知らずに発車して死亡させるという事故がある。【０００５】  また、大型車は特に厳しい悪路等障害物のある道路を長距離走行する為に、車の床面が縁石等の障害物に衝突して損傷しないために、地面とバンパ―との距離を、大体タイヤの半分程度を確保している為に幼児等の潜り込みを防止することが困難であつた。
【発明の開示】
【発明が解決しようとする課題】
【０００６】以上述べたように従来の技術では、幼稚園の園児送迎バスによる事故防止対策は不十分であつた。【０００７】本発明は、このような従来からの問題を根本から解決しよとするものであり、マイクロバス等大型車における潜り込み事故を防止する装置である。
【課題を解決するための手段】
【０００８】本発明は上記目的を達成するために、マイクロバス等のバンパ―の下部全面にタツチセンサ―を埋め込んだラバ―製の特殊バンパ―を取り付けて、幼児等がそのタツチセンサ―に接触すると瞬時に運転手に警報を鳴らし停止させる装置である。【０００９】上記課題である縁石等の障害物に衝突してバンパ―を損傷させないために、柔軟性のある板ゴムを使用して、そこに埋め込むタツチセンサ―は防錆効果とばね性のあるステンレスワイヤ―を使用する。【００１０】また、車体の下部全面にとりつけるバンパ―は四分割してあり、夫々、前部、左部、右部、後部、に分れて独立しており、夫々のタツチセンサ―の配線は夫々のタツチスイツチに接続されている。【００１１】夫々独立したタツチスイツチの出力部のジャツクには警報ブザ―が接続してあり、異常時に警報を出す。【００１２】また夫々のタツチスイツチには、前部、左部、右部、後部の表示があるために異常発生部位が瞬時に判るために運転手は即異常物を排除できる、また、幼児の場合は救助できる。
【発明の効果】
【００１３】上述したように本発明の潜り込み防止用バンパ―は特に幼児等がマイクロバス等に潜り込み死亡するという悲惨な事故を防止するという効果がある。【００１４】本発明を大型のトラツクに採用すれば左折時に起こる人や自転車の巻き込み事故防止にも多大な効果がある。
【発明の実施するための最良の形態】
【００１５】以下、本発明の形態を図１から図５に基づいて説明する。
【００１６】図１において、１ａ，１ｂ，１ｃ，１ｄは夫々潜り込み防止用バンパ―の外観を示す、また図２は後方から見た外観を示す。
【００１７】図１、及び図２において、１バンパ―はタイヤ部を境に、前部、左部、右部（図面は未表示）、後部に分離してある。
【００１８】図３においては、３は車体に取り付くブラケツトを示し、１バンパ―とは４のボルト、ナツトにて全周数個所を締め付け固定してある。
【００１９】図３において、１バンパ―の断面図で各部には５穴があけてあり２タツチセンサ―ワイヤ―が、１バンパ―の裏から表に、または表から裏へと連続的に編み込みしてある。
【００２０】図３において、１バンパ―はゴム製の板材で障害物に干渉しても柔軟性があるために損傷することがなく、また２タツチセンサ―ワイヤ―もばね性があるために障害物に干渉しても自由に逃げる為に損傷を免れる。
【００２１】図４は１バンパ―の部分正面図を示し、２タツチセンサ―ワイヤ―が５穴部を通り裏から表に、また表から裏に編み込む状態を示す。
【００２２】図５においては、本発明の装置全体の概念図を示す。
【００２３】図５において、１ａ，１ｂ，１ｃ，１ｄ，は各分割されたバンパ―を示し、各々の２タツチセンサ―ワイヤ―には前部用、左部用、右部用、後部用と独立した７タツチスイツチが接続してあり、各部から取り出してある６タツチセンサ―ワイヤ―の接続ピンが各タツチスイツチに接合される。
［図］５において、７タツチスイツチのＡ部に６タツチセンサ―ワイヤ―接続ピンが接続されており、また７タツチスイツチの出力部には警報ブザ―への接続部があり別途接続して電源を入れることにより、人や動物等が２タツチセンサ―ワイヤ―に接触すれば瞬時に警報を発して運転手に異常を伝える事が出来る。
【００２４】図５において、７タツチスイツチ及び警報装置の詳細は省きます、（標準市販品を使用可能です）また７タツチスイツチ及び警報機等の取り付け位置、電源等の配線も省略します。
【図面の簡単な説明】
【００２５】
【図１】  本発明のマイクロバス潜り込み防止用バンパ―の前斜外観図
【図２】  同上後方斜外観図
【図３】  図４におけるＸ―Ｘ断面図
【図４】  同部分正面図
【図５】  本発明の全体概念図
【符号の説明】
【００２６】１  バンパ―
２  タツチセンサ―ワイヤ―
３  ブラケツト
４  ボルト、ナツト
５  穴部
６  タツチセンサ―ワイヤ―接続ピン
７  タツチスイツチ
８  警報ブザ―
【図１】
2017202812.tif 000003
【図２】
2017202812.tif 000004
【図３】
2017202812.tif 000005
【図４】
2017202812.tif 000006
【図５】
2017202812.tif 000007
(57)【要約】【課題】  公知及び、実用化されている四輪自動車の前方車両又は、前方障害物への衝突回避をする為に作動する自動ブレーキシステムを駐車時等の後進時に車両又は障害物への按触を回避する自動ブレーキシステムの新たな設置個所を提供する。【解決手段】  自動ブレーキシステムを、車両後方部又は底部など、車両形状に適した前方以外の個所に設置すし、駐車時等の後進時に車両又は障害物への接触を回避する。【選択図】図１
2017202815.tif 000002
【特許請求の範囲】
【請求項１】
公知及び実用化されている四輪自動車の前方車両又は、前方障害物への衝突回避自動ブレーキシステムを、車両底部及び後方に設置する事を特徴とする四輪自動車後進自動ブレーキシステム。
【発明の詳細な説明】
【技術分野】
【０００１】  本発明は、既に公知及び、実用化されている四輪自動車の前方車両又は、前方障害物への衝突回避をする為に作動する自動ブレーキシステムを駐車時等の後進時に車両又は障害物への接触を回避する自動ブレーキシステムの設置個所に関するものである。
【背景技術】
【０００２】  公知及び実用化されている四輪自動車の自動ブレーキシステムは、前進走行時に前方車両との間隔が急速に縮んだ場合に自動ブレーキが作動し、衝突回避又は、衝突した場合の衝撃軽減を行う為のシステムでる。
【発明の開示】
【発明が解決しようとする課題】
【０００３】  公知及び、実用化されている四輪自動車の自動ブレーキシステムは、前方車両又は、前方障害物に対しての衝突回避又は、衝撃軽減を行う為のシステムであり、駐車場等に駐車する際の車両後退時には、障害物接近センサーが働き、警告音は発生しても自動ブレーキが作動する事はなく、アクセルを踏み込み続けた場合には、その障害物と接触してしまう。
さらに、駐車スペースから退出する場合に、ドライブレンジを入れ間違え、誤って後退した場合、後進自動ブレーキが無い為に、車輪止めを乗り越えて自動車が建物に衝突してしまう。
又、運搬車両等のトラックが荷捌き場へ駐車する際には、車両後方に対しての自動ブレーキシステムが無い為に、バックモニターでの目視確認が必要とされているが、バックカメラが広角レンズを使用している製品が大半の為、距離感覚がつかみ難く、微低速で荷捌き場に接触して駐車しているのが現状である。
【課題を解決する為の手段】
【０００４】  公知及び、実用化されている四輪自動車の前方車両又は、前方障害物への衝突回避をする為に作動する自動ブレーキシステムを、駐車時等の後進時に車両又は障害物への接触を回避する為、車両後方部など、車両形状に適した前方以外の個所に設置する。
本発明は以上の構成により成る四輪自動車後進自動ブレーキである。
【発明の効果】
【０００５】  車両前方以外の主に後方個所に公知及び実用化されている自動ブレーキシステムを設置する事により、後方の障害物に対しての接触を回避する事を可能にする。
自動ブレーキシステムの感知距離を短く設定する事により、運搬車両等のトラックを荷捌き場へ適正な距離で接触する事無く停車する事を可能にする。
距離センサーを車両底部後輪個所に設置し、感知距離を短く設定する事により、輪留めに接触した時点で自動ブレーキが働き、輪留めを乗り越える事を防ぐ事を可能にする。
距離センサーを車両底部前方に設置し、車高の低い車両がスロープ状の道路又は、歩道から平滑な道路に侵入する際に、車両底部または、前方バンパーと道路との接着を防止する事を可能にする。
【発明を実施するための最良の形態】
【０００６】  以下、本発明の実施の形態を図面に基づき詳細に説明する。【０００７】  図１〜図３は本発明の実施の形態に係り、図１は普通四輪自動車の駐車時の様子、図２は運搬車両等のトラックが荷捌き場へ停車する様子、図３は車高の低い車両がスロープ状の道路又は、歩道から平滑な道路に侵入する様子である。【０００８】  図１の３に示すように、車両底部及び、最後部に自動ブレーキシステムのセンサーを設置し、車輪止め４及び建物等の障害物２に接触する事を防ぐ事が出来る。【０００９】  図２は、運搬車両等のトラックが荷捌き場に停車する際、荷捌き位置２にセンサー３が近付いた場合に自動ブレーキが働く事により、接触を防ぐ事が出来る。【００１０】  図３は、スロープ状の道路１に車高が極めて低い車両が通過する際、車両底部またはバンパーが道路に接触する前に自動ブレーキが働き、車両の破損を回避する事が出来る。【００１１】  以上、本発明の実施の形態及び、実施例を説明したが、本発明の範囲はこれに限定されるものではない。例えば、車両の用途に応じて自動ブレーキシステムのセンサー設置位置を車両後部ならびに、底部に限らず、天井面や側面等に応用する事を可能とし、使用用途や状況に応じて適宣選択されるものである。【００１２】  本発明は四輪自動車を製造・販売する工業ならびに産業分野で利用する事が出来る。
【図面の簡単な説明】
【００１３】
【図１】  図１は普通四輪自動車の駐車時の様子、図２は運搬車両等のトラックが荷捌き場へ停車する様子である。
【図２】  図２は運搬車両等のトラックが荷捌き場へ停車する様子である。
【図３】  図３は車高の低い車両がスロープ状の道路又は、歩道から平滑な道路に侵入する様子である。
【符号の説明】
【００１４】１      道路面
２      壁面障害物
３      自動ブレーキシステムのセンサー
４      車両の輪留め
【図１】
2017202815.tif 000003
【図２】
2017202815.tif 000004
【図３】
2017202815.tif 000005